(57)【要約】      （修正有）【課題】ショーケースに備えたＰＯＰカードの取付構造に関して、差し込み支持方式の利便性を生かしつつ、ショーケースのデザイン，美観性を損なうことなく、しかもＰＯＰカードを脱落のおそれなしに庫内の表示位置に安定保持できるように改良する。【解決手段】ケース本体１の庫内側上部前面にＰＯＰカード１２を支持するカード取付手段を、そのカード取付手段を庫内側に形成したカード取付面８ｂと、該カード取付面の上端に先端をカード取付面に押し当ててＰＯＰカードを差し込み支持するクリップ状のカード押え金１１とで構成し、前記カード取付面をケース本体の頂部前面に配したキャノピー部８の庫内壁面にオーバーハング状に段付き形成するとともに、ここで前記のカード支持面を凹状の湾曲面としてキャノピー部から庫内に突き出す仕切り用縦壁部８ａの前面に形成し、ＰＯＰカードを庫内側の位置で安定よく保持できるようにする。【選択図】図１
2007006963.tif 000002
【特許請求の範囲】
【請求項１】
ケース本体の庫内側上部前面にＰＯＰカードを支持するカード取付手段を備えたショーケースであり、そのカード取付手段を庫内側に形成したカード取付面と、該カード取付面の上端に設けてＰＯＰカードを差し込み支持するカード押え金とで構成したものにおいて、
前記カード取付面をケース本体の頂部前面に配したキャノピー部の庫内壁面にオーバーハング状に段付き形成するとともに、カード押え金としてカード取付面の上端側に先端をカード取付面に押し当ててＰＯＰカードを差し込み支持するクリップ状のカード押え金を設けたことを特徴とするショーケース。
【請求項２】
請求項１記載のショーケースにおいて、カード支持面を凹状湾曲面としてキャノピー部から庫内に突き出す仕切り用縦壁部の前面に形成したことを特徴とするショーケース。
【発明の詳細な説明】
【技術分野】
【０００１】
本発明は、ケース本体の庫内上部の前面に陳列商品のＰＯＰカードを表示するカード取付手段を備えたショーケースに関する。
【背景技術】
【０００２】
オープンショーケースを対象に、そのケース本体のフロント側頂部に設けたキャノピー部の前面にカード押え金を設け、該押え金とキャノピー部の前面壁との間に広告アイテムとしてＰＯＰカード（アート紙あるいは透明樹脂シートなどに描いたもの）を差し込んで表示位置に吊り下げ支持するようにした構成のものが知られている（例えば、特許文献１参照）。
【特許文献１】実公平５−１１８１２号公報（図１〜図３）
【発明の開示】
【発明が解決しようとする課題】
【０００３】
前記の特許文献１に開示されているＰＯＰカードの取付構造は、簡単な操作でＰＯＰカードを表示位置に差し込み支持することができる利便性があるものの、ケース本体の頂部の化粧パネルを兼ねるキャノピー部の前面にＰＯＰカードを剥き出しにぶら下げる方式では、キャノピー部の化粧パネル面がＰＯＰカードの裏側に隠れてしまうためにショーケースのデザイン，美観性を損ねる問題がある。
また、ＰＯＰカードはその上縁部分を押え金で挟んで吊り下げるようにしているために、ＰＯＰカードが薄かったり、押え金のばね力が弱かったりすると、このままではＰＯＰカードが抜け落ちてしまうおそれがある。
本発明は上記の点に鑑みなされたものであり、ショーケースに備えたＰＯＰカードの取付手段に関して、押え金による差し込み支持方式の利便性を生かしつつ、ショーケースのデザイン，美観性を損なうことなく、しかもＰＯＰカードを脱落のおそれなしに庫内の表示位置に安定保持できるように改良した取付構造を提供することを目的とする。
【課題を解決するための手段】
【０００４】
上記目的を達成するために、本発明によれば、ケース本体の庫内側上部前面にＰＯＰカードを支持するカード取付手段を備えたショーケースで、そのカード取付手段を庫内側に形成したカード取付面と、該カード取付面の上端に設けてＰＯＰカードを差し込み支持するカード押え金とで構成したものにおいて、
前記カード取付面をケース本体の頂部前面に配したキャノピー部の庫内壁面にオーバーハング状に段付き形成するとともに、カード押え金としてカード取付面の上端側に先端をカード取付面に押し当ててＰＯＰカードを差し込み支持するクリップ状のカード押え金を設ける（請求項１）。
また、前記構成において、カード支持面を凹状の湾曲面としてキャノピー部から庫内に突き出す仕切り用縦壁部の前面に形成する（請求項２）。
【発明の効果】
【０００５】
上記の構成によれば、ＰＯＰカードの取付面をキャノピー部の庫内側の壁部前面にカード押え金と組み合わせて形成し、ここにＰＯＰカードを差し込み保持するようにしたので、表示するＰＯＰカードがケースの前面に剥き出し状態に露呈することがなく、これによりショーケースのデザイン，美観性を損なうことなくＰＯＰカードを表示できる。
しかも、カード取付面を凹状の湾曲面として垂直面に対しオーバーハング状に形成したことにより、ここに差し込んでその上端部分を押え金で挟持したカードは、カード自身の曲げに対する復元力が働いてカード面が押え金に当接するので、不測に抜け落ちることなしに安定よく支持できる。
さらに、カード取付面を凹状湾曲面としてオーバーハング状に形成したことで、この取付面に塵が溜まることもなく、またキャノピー部自身の剛性も向上する。
【発明を実施するための最良の形態】
【０００６】
以下、本発明の実施の形態を図示の実施例に基づいて説明する。
図１（ａ），（ｂ）において、１は前面開放形の断熱筐体になるショーケース（オープンショーケース）のケース本体、２はケース本体の内箱、３は商品陳列棚、４はケース本体１の外箱と内箱２との間に画成した冷気循環通路、５は冷却器（冷凍機のエバポレータ）、６は庫内ファン、７は庫内底部のデッキパン、８はケース本体１の頂部前面に付設したキャノピー部（板金加工品もしくは樹脂成形品）、９はキャノピー部８の庫内側天井から垂下形成した仕切用の縦壁部９ａと内箱２との間に開口する循環冷気の吹出口、１０はケース本体１の下部フロント壁の内側に設けた循環冷気の吸込グリルである。
ここで、前記キャノピー部８の縦壁部８ａの前面にはＰＯＰカード取付面８ｂが垂直面に対してオーバーハング状に段付き形成されており、このカード取付面８ｂは前方に向けて凹状を呈する湾曲面になる。また、カード取付面８ｂに対し、その上端側にはカード押え金１１としてバネ性を有する金属板を断面略Ｌ字形に屈曲成形した長尺なクリップ部材が、図示のように先端をカード取付面８ｂに押し当てて該カード取付面の段付き部にビス１１ａで固着されている。
【０００７】
上記の構成で、ＰＯＰカード１２を表示位置に取り付けるには、図１（ｂ）で示すようにＰＯＰカード１２を手にもって下方からカード取付面８ｂとカード押え金１１との間に差し込む。これにより、ＰＯＰカード１２はカード取付面８ｂの凹状湾曲面に倣って撓むと同時に、カード自身の復元力によりカード面が押え金１１の先端に押しつけられてこの位置に保持される。
したがって、先記の特許文献１に開示されているカード取付構造（カード取付面が垂直面）と比べてＰＯＰカード１２を表示位置に支える支持力が高くなり、これによりカードの不測な脱落を防いでＰＯＰカード１２を表示位置に安定よく保持できる。しかも、カード取付面９８をキャノピー部８の前端面より奥まった庫内側の壁部に形成したので、ショーケースのデザイン，美観性を損ねることもないし、またカード取付面８ｂをオーバーハング状に形成したので、塵が溜まることもなくて清掃性が向上する。
【図面の簡単な説明】
【０００８】
【図１】本発明の実施例によるショーケースの構成図で、（ａ）はショーケース全体の側視断面図、（ｂ）はＰＯＰカードの取付け状態を表す（ａ）におけるＡ部の拡大図
【符号の説明】
【０００９】
１    ケース本体
８    キャノピー部
８ａ  キャノピー部の庫内側の縦壁部
８ｂ  カード取付面
１１    カード押え金
１２    ＰＯＰカード
【図１】
2007006963.tif 000003